(57)【要約】【課題】ユーザーに対する利便性を高めることができる表示装置、表示システムおよび表示装置の制御方法を提供する。【解決手段】複数の入力部と、通信部と、ケーブルを介する情報端末装置と通信部との接続を検出する接続検出部と、指示体が指示する表示面上の位置に関する位置情報を生成する位置情報生成部と、表示面に画像を表示する表示部と、画像情報および位置情報に基づく画像を表示部に表示させる第１モードと、画像情報に基づく画像を表示部に表示させ、位置情報に基づいて情報端末装置を操作する第２モードと、を切替可能に実行する制御部と、第２モードの実行時における入力部の使用結果に関するソース情報を記憶する記憶部と、を有し、制御部は、接続検出部で接続が検出される場合、ソース情報に基づいて複数の入力部から１つの入力部を選択し、第２モードを実行する、表示装置。【選択図】図２
2020060616.tif 000002
【特許請求の範囲】
【請求項１】
表示面に画像を表示する表示部と、
情報端末装置から画像情報を入力可能な複数の入力部と、
前記情報端末装置がケーブルを介して接続可能に構成され、前記情報端末装置と通信可能な通信部と、
前記ケーブルを介する前記情報端末装置と前記通信部との接続を検出する接続検出部と、
指示体が指示する前記表示面上の位置に関する位置情報を生成する位置情報生成部と、
前記画像情報および前記位置情報に基づく画像を前記表示部に表示させる第１モードと、前記画像情報に基づく画像を前記表示部に表示させ、前記位置情報に基づいて前記情報端末装置を操作する第２モードと、を切替可能に実行する制御部と、
前記第２モードの実行時における前記入力部の使用結果に関するソース情報を記憶する記憶部と、を有し、
前記制御部は、前記接続検出部で接続が検出される場合、前記ソース情報に基づいて前記複数の入力部から１つの入力部を選択し、前記第２モードを実行する、
表示装置。
【請求項２】
前記制御部は、前記接続検出部で接続が検出される場合、前記ソース情報に基づいて、最後に使用された前記入力部を選択し、前記第２モードを実行する、
請求項１に記載の表示装置。
【請求項３】
前記制御部は、前記接続検出部で接続が検出される場合、前記ソース情報に基づいて、最も使用頻度の高い前記入力部を選択し、前記第２モードを実行する、
請求項１に記載の表示装置。
【請求項４】
前記制御部は、前記第１モードから前記第２モードへ切り替える操作を受け付け可能な操作画像を前記表示部に表示させ、前記接続検出部で接続が検出されない状態で、前記操作画像への操作が受け付けられる場合、前記ケーブルを前記通信部に接続することを促す旨の画像を前記表示部に表示させる、
請求項１ないし３のいずれか１項に記載の表示装置。
【請求項５】
前記制御部は、前記操作の受け付けにより前記第１モードから前記第２モードへ切り替える場合、前記ソース情報を更新する、
請求項４に記載の表示装置。
【請求項６】
前記制御部は、前記接続検出部で接続が検出されない場合、前記第１モードを実行する、
請求項１ないし５のいずれか１項に記載の表示装置。
【請求項７】
請求項１ないし６のいずれか１項に記載の表示装置と、
前記表示面上を指示する指示体と、を有する、
表示システム。
【請求項８】
表示面に画像を表示する表示部と、情報端末装置から画像情報を入力可能な複数の入力部と、前記情報端末装置がケーブルを介して接続可能に構成され、前記情報端末装置と通信可能な通信部と、指示体が指示する前記表示面上の位置に関する位置情報を生成する位置情報生成部と、を有する表示装置の制御方法であって、
前記情報端末装置と前記通信部との接続を検出し、
前記画像情報および前記位置情報に基づく画像を前記表示部に表示させる第１モードと、前記画像情報に基づく画像を前記表示部に表示させ、前記位置情報に基づいて前記情報端末装置を操作する第２モードと、を切替可能に実行し、
前記第２モードの実行時における前記入力部の使用結果に関するソース情報を記憶し、
前記情報端末装置と前記通信部との接続が検出される場合、前記ソース情報に基づいて前記複数の入力部から１つの入力部を選択し、前記第２モードを実行する、
表示装置の制御方法。
【請求項９】
前記情報端末装置と前記通信部との接続が検出される場合、前記ソース情報に基づいて、最後に使用された前記入力部を選択し、前記第２モードを実行する、
請求項８に記載の表示装置の制御方法。
【請求項１０】
前記情報端末装置と前記通信部との接続が検出される場合、前記ソース情報に基づいて、最も使用頻度の高い前記入力部を選択し、前記第２モードを実行する、
請求項８に記載の表示装置の制御方法。
【請求項１１】
前記第１モードから前記第２モードへ切り替える操作を受け付け可能な操作画像を前記表示部に表示させ、前記情報端末装置と前記通信部との接続が検出されない状態で、前記操作画像への操作が受け付けられる場合、前記ケーブルを前記通信部に接続することを促す旨の画像を前記表示部に表示させる、
請求項８ないし１０のいずれか１項に記載の表示装置の制御方法。
【請求項１２】
前記操作の受け付けにより前記第１モードから前記第２モードへ切り替える場合、前記ソース情報を更新する、
請求項１１に記載の表示装置の制御方法。
【発明の詳細な説明】
【技術分野】
【０００１】
本発明は、表示装置、表示システムおよび表示装置の制御方法に関する。
【背景技術】
【０００２】
近年、いわゆるインタラクティブ機能を有するプロジェクター等の表示装置が知られている。この種の表示装置は、例えば、ＰＣ（Personal Computer）に接続して使用され、ＰＣからの画像情報に基づく画像をスクリーンに表示しながら、ペンツールまたは利用者の指等の指示体による操作を受け付ける。特許文献１に記載の表示装置は、指示体が指示するスクリーン上の位置の軌跡による描画画像を前述の画像に重ねて表示するモードと、指示体が指示するスクリーン上の位置に従いＰＣを操作するモードと、を有する。特許文献１において、これらのモードは、例えば、前述の画像に重ねて表示されるＧＵＩ（Graphical User Interface）を用いて切り替えられる。また、特許文献１に記載の表示装置は、ＰＣを接続可能な複数のインターフェイスを有しており、ＰＣを操作するモードに用いるインターフェイスが予め設定される。
【先行技術文献】
【特許文献】
【０００３】
【特許文献１】特開２０１３−８８８４０号公報
【発明の概要】
【発明が解決しようとする課題】
【０００４】
しかし、特許文献１に記載の表示装置では、前述の２つのモードの切り替えが手動であるため、ユーザーにとって利便性が低いという課題がある。また、特許文献１に記載の表示装置では、複数のインターフェイスのうち、ＰＣを操作するモードに用いるインターフェイスを予め設定しておく必要があり、この点でも、ユーザーにとって利便性が低い。
【課題を解決するための手段】
【０００５】
以上の課題を解決するため、本発明に係る表示装置の一態様は、表示面に画像を表示する表示部と、情報端末装置から画像情報を入力可能な複数の入力部と、前記情報端末装置がケーブルを介して接続可能に構成され、前記情報端末装置と通信可能な通信部と、前記ケーブルを介する前記情報端末装置と前記通信部との接続を検出する接続検出部と、指示体が指示する前記表示面上の位置に関する位置情報を生成する位置情報生成部と、前記画像情報および前記位置情報に基づく画像を前記表示部に表示させる第１モードと、前記画像情報に基づく画像を前記表示部に表示させ、前記位置情報に基づいて前記情報端末装置を操作する第２モードと、を切替可能に実行する制御部と、前記第２モードの実行時における前記入力部の使用結果に関するソース情報を記憶する記憶部と、を有し、前記制御部は、前記接続検出部で接続が検出される場合、前記ソース情報に基づいて前記複数の入力部から１つの入力部を選択し、前記第２モードを実行する。
【０００６】
本発明に係る表示システムの一態様は、前述の態様の表示装置と、前記表示面上を指示する指示体と、を有する。
【０００７】
本発明に係る表示装置の制御方法の一態様は、表示面に画像を表示する表示部と、情報端末装置から画像情報を入力可能な複数の入力部と、前記情報端末装置がケーブルを介して接続可能に構成され、前記情報端末装置と通信可能な通信部と、指示体が指示する前記表示面上の位置に関する位置情報を生成する位置情報生成部と、を有する表示装置の制御方法であって、前記情報端末装置と前記通信部との接続を検出し、前記画像情報および前記位置情報に基づく画像を前記表示部に表示させる第１モードと、前記画像情報に基づく画像を前記表示部に表示させ、前記位置情報に基づいて前記情報端末装置を操作する第２モードと、を切替可能に実行し、前記第２モードの実行時における前記入力部の使用結果に関するソース情報を記憶し、前記情報端末装置と前記通信部との接続が検出される場合、前記ソース情報に基づいて前記複数の入力部から１つの入力部を選択し、前記第２モードを実行する。
【図面の簡単な説明】
【０００８】
【図１】実施形態に係る表示システムを示す斜視図である。
【図２】実施形態に係る表示装置の構成を示すブロック図である。
【図３】表示装置と情報端末装置との接続例を示す図である。
【図４】ソース情報の一例を示す図である。
【図５】第１モードと第２モードとの切替時における画像の遷移を示す図である。
【図６】表示装置のモード切替の流れを示すフローチャートである。
【発明を実施するための形態】
【０００９】
以下、添付図面を参照しながら本発明に係る好適な実施形態を説明する。なお、図面において各部の寸法および縮尺は実際と適宜異なり、理解を容易にするために模式的に示す部分もある。また、本発明の範囲は、以下の説明において特に本発明を限定する旨の記載がない限り、これらの形態に限られない。
【００１０】
１．表示システムの概要
図１は、実施形態に係る表示システム１を示す斜視図である。表示システム１は、いわゆるインタラクティブ機能を有するプロジェクションシステムである。図１に示すように、表示システム１は、表示装置１０と、指示体９０と、情報端末装置の一例であるＰＣ１００と、を含む。
【００１１】
図１に示す例では、スクリーンＳＣの設置箇所は、例えば、壁である。なお、当該設置箇所は、壁に限定されず、例えば、床またはテーブル等であってもよい。また、表示装置１０の設置箇所は、例えば、天井であるが、当該設置箇所は、表示装置１０がスクリーンＳＣに投射画像Ｇを投射可能であればよく、天井に限定されず、例えば、スクリーンＳＣの前方の、壁、床、テーブル、専用設置台等であってもよい。
【００１２】
表示装置１０は、ＰＣ１００からの画像情報に基づく画像ＧをスクリーンＳＣに表示可能である。また、表示装置１０は、指示体９０が指示するスクリーンＳＣ上の位置を検出可能である。ここで、表示装置１０は、第１モードである描画モードと、第２モードである操作モードと、を有し、これらのモードを切り替えて実行可能である。描画モードにおいて、表示装置１０は、指示体９０が指示するスクリーンＳＣ上の位置の軌跡に基づく描画画像である画像ＧＤを前述の画像Ｇに重ねてスクリーンＳＣに表示する。一方、操作モードおいて、表示装置１０は、前述の画像ＧをスクリーンＳＣに表示し、その状態で、指示体９０が指示するスクリーンＳＣ上の位置に従い、マウス等のポインティングデバイスと同様にＰＣ１００を操作する。
【００１３】
表示装置１０は、ケーブル１０１を介してＰＣ１００から画像情報が入力される。また、表示装置１０は、ケーブル１０２を介してＰＣ１００との通信が可能である。ここで、表示装置１０は、ケーブル１０２を介してＰＣ１００が接続されると、操作モードを実行する。
【００１４】
描画モードおよび操作モードのいずれにおいても、表示装置１０は、指示体９０の指示により表示装置１０に各種の機能を実行させるためのＧＵＩ（Graphical User Interface）用の画像であるツールバーＧＴをスクリーンＳＣに表示する。ツールバーＧＴは、両モード間の切り替えに用いる描画モード切替ボタンＧＴ１および操作モード切替ボタンＧＴ２を含む。図１は、描画モード時のツールバーＧＴの状態を示しており、描画モード時のツールバーＧＴは、描画に用いる描画ツールＧＴ３も含む。
【００１５】
なお、表示装置１０は、前述の画像Ｇ、ＧＤおよびツールバーＧＴ以外の画像、例えば、表示装置１０に記憶される画像情報に基づく画像、または表示装置１０で生成する画像情報に基づく画像等をスクリーンＳＣに表示してもよい。また、表示装置１０の操作は、表示装置１０本体に配置される操作パネル７１、および図１中不図示のリモコンを用いて行うことも可能である。
【００１６】
指示体９０は、ペン型のデバイスである。指示体９０は、軸部９１と、軸部９１の先端に配置される先端ボタン９２と、を備える。先端ボタン９２は、スクリーンＳＣに押し付けられることでオンになるスイッチである。指示体９０の内部には、図示しない赤外線発光部が設けられており、当該赤外線発光部は、先端ボタン９２がオンとなることにより駆動する。当該赤外線発光部は、例えば、赤外ＬＥＤ（Light Emitting Diode）等の発光素子、発光制御回路、および電源を含んで構成される。当該赤外線発光部は、例えば、ＩｒＤＡ（Infrared Data Association）規格に準拠した方式により、周期的に赤外線を発光する。この発光は、表示装置１０で検出される。表示装置１０、指示体９０の発光位置に基づいて、指示体９０が指示するスクリーンＳＣ上の位置を検出する。なお、指示体９０の形状は、ペン型に限定されない。
【００１７】
２．表示装置の構成
図２は、実施形態に係る表示装置１０の構成を示すブロック図である。表示装置１０は、図２に示すように、表示部２０、記憶部３０、画像処理部４０、Ｉ／Ｆ（Interface）部５０、検出部６０、操作部７０および処理装置８０を有する。
【００１８】
表示部２０は、表示面であるスクリーンＳＣに画像Ｇを表示する。表示部２０は、光源２１、光変調装置２２、および投射光学系２３を有する。
【００１９】
光源２１は、例えば、ハロゲンランプ、キセノンランプ、超高圧水銀ランプ、ＬＥＤ（Light Emitting Diode）またはレーザー光源等で構成される。光変調装置２２は、光源２１が発する光を変調して画像光を生成する。光変調装置２２は、例えば、透過型の液晶パネル、反射型の液晶パネルまたはＤＭＤ（デジタルミラーデバイス）等の光変調素子を含んで構成される。投射光学系２３は、光変調装置２２からの画像光をスクリーンＳＣ上に結像させる。投射光学系２３は、少なくとも１つの投射レンズを含む光学系であり、ズームレンズまたはフォーカスレンズ等を含んでもよい。
【００２０】
記憶部３０は、例えば、ハードディスクドライブまたは半導体メモリーから構成される。記憶部３０は、処理装置８０が実行する制御プログラムＰ、および処理装置８０が処理するデータを記憶する。特に、記憶部３０は、操作モードの実行時における後述の第１入力部５１、第２入力部５２および第３入力部５３の使用結果に関するソース情報Ｄ１を記憶する。なお、ソース情報Ｄ１の具体例については、後述する。また、記憶部３０は、表示装置１０の外部の記憶装置あるいはサーバー等に設けてもよい。
【００２１】
画像処理部４０は、フレームメモリー４１を有し、Ｉ／Ｆ部５０からの画像情報をフレームメモリー４１に展開して、解像度変換処理、リサイズ処理、歪み補正処理等の各種処理を適宜実行して表示部２０に入力する。ここで、画像処理部４０は、必要に応じて、処理装置８０からの信号に基づく処理、例えば、画像ＧＤおよびツールバーＧＴ等を表示部２０に表示させるための処理等を実行する。
【００２２】
Ｉ／Ｆ部５０は、ＰＣ１００等の外部装置に接続可能なインターフェイスとして、第１入力部５１、第２入力部５２、第３入力部５３および通信部５４を備える。なお、Ｉ／Ｆ部５０は、表示装置１０本体と同一筐体に配置されてもよいし、表示装置１０本体の筐体とは別の筐体内に配置されてもよい。
【００２３】
第１入力部５１、第２入力部５２および第３入力部５３は、それぞれ、情報端末装置であるＰＣ１００から画像情報ＤＳを入力可能である。本実施形態の第１入力部５１、第２入力部５２および第３入力部５３は、それぞれ、ＰＣ１００がケーブル１０１により有線接続される。具体的には、第１入力部５１、第２入力部５２および第３入力部５３は、例えば、それぞれ、Ｄ−ｓｕｂまたはＨＤＭＩ等のインターフェイスである。ここで、第１入力部５１、第２入力部５２および第３入力部５３の規格は、互いに同一であっても異なっていてもよい。ここで、第１入力部５１、第２入力部５２および第３入力部５３は、「複数の入力部」の一例である。第１入力部５１、第２入力部５２および第３入力部５３のうちのいずれか１つを省略してもよい。また、第１入力部５１、第２入力部５２および第３入力部５３のほかに、１つ以上の入力部を設けてもよい。また、第１入力部５１、第２入力部５２および第３入力部５３のうちの少なくとも１つは、例えば、Ｗｉ−ＦｉまたはＢｌｕｅｔｏｏｔｈ等によりＰＣ１００と無線接続されてよいし、ＬＡＮ（Local Area Network）またはインターネット等を介してＰＣ１００に接続されてもよい。なお、ＨＤＭＩ、Ｗｉ−ＦｉおよびＢｌｕｅｔｏｏｔｈは、それぞれ、登録商標である。
【００２４】
通信部５４は、ＰＣ１００がケーブル１０２を介して接続可能に構成され、ＰＣ１００と通信可能である。具体的には、通信部５４は、例えば、ＵＳＢ等のインターフェイスである。なお、通信部５４の数は、複数でもよく、この場合、通信規格は、互いに同一であっても異なっていてもよい。
【００２５】
検出部６０は、指示体９０が指示するスクリーンＳＣ上の位置を検出し、当該位置を示す位置情報ＰＳを生成する。検出部６０は、撮像部６１、受光部６２および位置情報生成部６３を有する。撮像部６１は、スクリーンＳＣを撮像する。撮像部６１は、例えば、ＣＣＤ（Charge Coupled Device）イメージセンサーまたはＣＭＯＳ（Complementary
MOS）イメージセンサー等の撮像素子を含んで構成される。
【００２６】
受光部６２は、指示体９０の赤外線発光部から発光される赤外線信号を受光する。受光部６２は、例えば、フォトダイオード等の受光素子を含んで構成される。検出部６０では、受光部６２の出力信号をデコードし、指示体９０の操作を示す指示データを出力する。
【００２７】
位置情報生成部６３は、指示体９０が指示するスクリーンＳＣ上の位置に関する位置情報ＰＳを生成する。具体的には、位置情報生成部６３は、撮像部６１の出力信号に基づいて、位置情報ＰＳを生成する。指示体９０の指示位置は、例えば、スクリーンＳＣ上に設定される座標系の座標で表され、位置情報ＰＳは、当該座標を示す情報を含む。
【００２８】
操作部７０は、操作パネル７１およびリモコン受光部７２を有する。操作パネル７１は、表示装置１０の外装筐体に設けられ、ユーザーの操作を受け付け可能に構成される。操作パネル７１は、ユーザーの操作に基づく信号を出力する。リモコン受光部７２は、図示しないリモコンからの赤外線信号を受光し、当該赤外線信号をデコードして、当該リモコンの操作に基づく信号を出力する。
【００２９】
処理装置８０は、表示装置１０の各部を制御する機能、および各種データを処理する機能を有する。処理装置８０は、例えば、ＣＰＵ（Central Processing Unit）等を含んで構成される。処理装置８０は、記憶部３０に記憶されている制御プログラムＰを実行することによって、後述する機能部を含む各種機能を実現する。なお、処理装置８０は、単一のプロセッサーで構成されてもよいし、複数のプロセッサーで構成されてもよい。また、処理装置８０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable
Gate Array）等のハードウェアで実現してもよい。
【００３０】
処理装置８０は、制御部８１および接続検出部８２を有する。制御部８１は、前述の表示部２０、記憶部３０、画像処理部４０、Ｉ／Ｆ部５０、検出部６０および操作部７０を制御する。接続検出部８２は、ケーブル１０２を介するＰＣ１００と通信部５４との接続を検出する。本実施形態の接続検出部８２は、Ｉ／Ｆ部５０からの信号に基づいて、当該接続の有無を検出する。当該接続は、ＰＣ１００と通信部５４とが通信可能に接続される状態である。なお、接続検出部８２の少なくとも一部の機能をＩ／Ｆ部５０が有してもよい。
【００３１】
制御部８１は、第１モードの一例である描画モードと、第２モードの一例である操作モードと、を切替可能に実行する。描画モードにおいて、制御部８１は、画像情報ＤＳおよび位置情報ＰＳに基づく画像ＧおよびＧＤを表示部２０に表示させる。一方、操作モードにおいて、制御部８１は、画像情報ＤＳに基づく画像Ｇを表示部２０に表示させ、位置情報ＰＳに基づいてＰＣ１００を操作する。
【００３２】
制御部８１は、第１入力部５１、第２入力部５２および第３入力部５３から１つの入力部を選択し、当該入力部からの画像情報に基づく画像を表示部２０に表示させる。描画モードにおける当該選択は、これらの入力部への画像情報の入力を検出して自動的に行ってもよいし、操作部７０等への操作により行ってもよい。一方、操作モードにおける当該選択は、記憶部３０に記憶されるソース情報Ｄ１に基づいて行う。
【００３３】
図３は、表示装置１０とＰＣ１００との接続例を示す図である。図３に示す例では、２台のＰＣ１００のうち、一方が第１入力部５１に接続され、他方が第２入力部５２に接続される。この場合、描画モードでは、制御部８１は、第１入力部５１または第２入力部５２のいずれかの入力部を選択可能であり、当該入力部からの画像情報に基づく画像を表示部２０に表示させる。その状態で、ＰＣ１００がケーブル１０２を介して通信部５４に接続されると、制御部８１は、操作モードを実行する。すなわち、制御部８１は、接続検出部８２で接続が検出される場合、操作モードを実行する。このとき、制御部８１は、ソース情報Ｄ１に基づいて第１入力部５１、第２入力部５２および第３入力部５３から１つの入力部を選択する。
【００３４】
図４は、ソース情報Ｄ１の一例を示す図である。ソース情報Ｄ１は、操作モードの実行時における第１入力部５１、第２入力部５２および第３入力部５３の使用結果に関する情報である。例えば、図４に示すように、ソース情報Ｄ１は、最後の操作モード実行時における各入力部と使用モードとの対応付けに関する情報である。図４に示す例では、最後の操作モード実行時における入力部が第１入力部５１であることを示す情報である。したがって、例えば、ソース情報Ｄ１が図４に示す例である場合、制御部８１は、接続検出部８２で接続が検出されると、第１入力部５１を選択する。ここで、操作モードが未使用である場合、ソース情報Ｄ１には、初期状態であることを示す情報が含まれる。なお、操作モードが未使用である場合、例えば、任意の入力部が選択されるようにソース情報Ｄ１が予め設定されてもよい。また、ソース情報Ｄ１は、図４に示す例に限定されず、例えば、最後の操作モード実行時における入力部の識別に関する情報であってもよい。
【００３５】
３．表示装置におけるモード切替
図５は、描画モードと操作モードとの切替時における画像の遷移を示す図である。制御部８１は、描画モードの実行時に、図５中左側に示す画像Ｇ１を表示部２０に表示させる。画像Ｇ１は、描画モード切替ボタンＧＴ１、操作モード切替ボタンＧＴ２および描画ツールＧＴ３を含む。ここで、描画モード切替ボタンＧＴ１は、操作モード切替ボタンＧＴ２よりも大きな面積で表示され、描画モードの選択中であることを示す。また、画像Ｇ１は、図示しないが、第１入力部５１、第２入力部５２および第３入力部５３から任意の操作により選択される１つの入力部に接続されるＰＣ１００からの画像情報に基づく画像を含む。
【００３６】
画像Ｇ１の表示中に操作モード切替ボタンＧＴ２が操作されると、制御部８１は、接続検出部８２で接続が検出される場合、操作モードを実行して、図５中右側に示す画像Ｇ２を表示部２０に表示させ、一方、接続検出部８２で接続が検出されない場合、図５中下側に示す画像Ｇ３を表示部２０に表示させる。
【００３７】
画像Ｇ２は、描画モード切替ボタンＧＴ１および操作モード切替ボタンＧＴ２を含む。すなわち、この場合、画像Ｇ１から描画ツールＧＴ３が省略される。ここで、操作モード切替ボタンＧＴ２は、描画モード切替ボタンＧＴ１よりも大きな面積で表示され、操作モードの選択中であることを示す。また、画像Ｇ２は、図示しないが、画像Ｇ１の表示時と同じ入力部に接続されるＰＣ１００からの画像情報に基づく画像を含む。
【００３８】
画像Ｇ２の表示中に描画モード切替ボタンＧＴ１が操作されると、制御部８１は、描画モードを実行し、前述の画像Ｇ１を表示部２０に表示させる。
【００３９】
画像Ｇ３は、描画モード切替ボタンＧＴ１、操作モード切替ボタンＧＴ２、描画ツールＧＴ３および接続ガイド画像ＧＧを含む。すなわち、この場合、画像Ｇ１に接続ガイド画像ＧＧが追加される。ここで、操作モード切替ボタンＧＴ２は、描画モード切替ボタンＧＴ１よりも大きな面積で表示され、操作モードの選択中のままであることを示す。
【００４０】
接続ガイド画像ＧＧは、ケーブル１０２を通信部５４に接続することを促す旨の画像である。図５に示す例では、当該旨を示す「ＵＳＢケーブルを接続してください」の文字が接続ガイド画像ＧＧに表示される。
【００４１】
制御部８１は、一定時間経過するか、または、接続検出部８２で接続が検出されるまでの期間にわたって、画像Ｇ３の表示を維持する。当該期間において、ユーザーに対し、ケーブル１０２を介するＰＣ１００と通信部５４との接続が必要であることが報知される。
【００４２】
接続検出部８２で接続が検出されることなく、画像Ｇ３の表示開始から一定時間経過すると、制御部８１は、描画モードの実行状態のまま、前述の画像Ｇ１を表示部２０に表示させる。一方、接続ガイド画像ＧＧの表示中に、接続検出部８２で接続が検出されると、制御部８１は、接続ガイド画像ＧＧの表示を終了し、操作モードを実行して前述の画像Ｇ２を表示部２０に表示させる。
【００４３】
以上が描画モードと操作モードとの切替時における画像の遷移の説明である。なお、前述の画像Ｇ１、Ｇ２、Ｇ３、描画モード切替ボタンＧＴ１、操作モード切替ボタンＧＴ２、描画ツールＧＴ３および接続ガイド画像ＧＧの表示形態は、それぞれ、一例であり、これに限定されない。例えば、画像Ｇ１、Ｇ２およびＧ３は、それぞれ、前述の画像以外の画像を含んでもよい。また、描画モード切替ボタンＧＴ１および操作モード切替ボタンＧＴ２は、１つのボタンで構成されてもよい。この場合、例えば、選択されるモードに応じてこれらのボタンの色を変更することにより、いずれのモードが選択中であるかを示すことができる。また、接続ガイド画像ＧＧは、例えば、前述とは異なる文、またはピクトグラムのような図等であってもよい。
【００４４】
図６は、表示装置１０のモード切替の流れを示すフローチャートである。制御部８１は、まず、ステップＳ１１０において、接続検出部８２からケーブル１０２の接続情報を取得する。次に、ステップＳ１２０において、制御部８１は、当該接続情報に基づいて、ケーブル１０２が通信部５４と接続中であるか否かを判断する。
【００４５】
ステップＳ１２０において接続中である判断される場合、ステップＳ１３０において、制御部８１は、前述の接続ガイド画像ＧＧによる接続要求表示中であるか否かを判断する。ステップＳ１３０において接続要求表示中と判断される場合、ステップＳ１４０において、制御部８１は、現在の表示に使用中の入力部を最後の操作モードの実行時における使用結果として、ソース情報Ｄ１を更新する。その後、ステップＳ１５０において、制御部８１は、更新後のソース情報Ｄ１に基づく入力部を選択し、操作モードに切り替えて終了する。
【００４６】
ステップＳ１３０において接続要求表示中と判断されない場合、ステップＳ１６０において、制御部８１は、記憶部３０からソース情報Ｄ１を取得する。次に、ステップＳ１７０において、制御部８１は、当該ソース情報が初期状態であるか否かを判断する。ステップＳ１７０において初期状態であると判断される場合、そのまま終了する。一方、ステップＳ１７０において初期状態でないと判断される場合、ステップＳ１８０において、制御部８１は、取得済みのソース情報に基づく入力部を選択し、操作モードに切り替えて終了する。
【００４７】
ステップＳ１２０において接続中でない判断される場合、ステップＳ１９０において、制御部８１は、記憶部３０からソース情報Ｄ１を取得する。次に、ステップＳ２００において、制御部８１は、当該ソース情報が初期状態であるか否かを判断する。ステップＳ２００において初期状態であると判断される場合、終了する。一方、ステップＳ２００において初期状態でないと判断される場合、ステップＳ２１０において、制御部８１は、現在の動作モードを取得する。その後、ステップＳ２２０において、制御部８１は、現在の動作モードが描画モードであるか否かを判断する。ステップＳ２２０において描画モードであると判断される場合、そのまま終了する。一方、ステップＳ２２０において描画モードでないと判断される場合、ステップＳ２３０において、制御部８１は、取得済みのソース情報に基づく入力部を選択し、描画モードに切り替えて終了する。
【００４８】
以上の表示システム１は、前述のように、表示装置１０と、スクリーンＳＣ上の位置を指示する指示体９０と、を有する。表示システム１によれば、表示装置１０またはその制御方法が以下の効果を奏する。
【００４９】
表示装置１０は、前述のように、表示部２０と、複数の入力部である第１入力部５１、第２入力部５２および第３入力部５３と、通信部５４と、接続検出部８２と、位置情報生成部６３と、制御部８１と、記憶部３０と、を有する。ここで、制御部８１は、前述のように、第１モードの一例である描画モードと、第２モードの一例である操作モードと、を切替可能に実行する。また、記憶部３０は、操作モードの実行時における第１入力部５１、第２入力部５２および第３入力部５３の使用結果に関するソース情報Ｄ１を記憶する。そして、制御部８１は、接続検出部８２で接続が検出される場合、ソース情報Ｄ１に基づいて第１入力部５１、第２入力部５２および第３入力部５３から１つの入力部を選択し、操作モードを実行する。
【００５０】
このように、制御部８１は、接続検出部８２で接続が検出される場合、操作モードを実行する。したがって、ＰＣ１００がケーブル１０２を介して通信部５４に接続されると、描画モード等の他の動作モードが実行される状態であっても、操作モードに自動的に切り替えることができる。このため、第２モードへ手動で切り替える場合に比べて利便性が高い。ここで、制御部８１は、接続検出部８２で接続が検出される場合、ソース情報Ｄ１に基づいて第１入力部５１、第２入力部５２および第３入力部５３から１つの入力部を選択する。したがって、操作モード時に使用する入力部の選択も自動的に行うことができる。このため、入力部を手動で選択する場合に比べて利便性が高い。しかも、入力部の選択に用いるソース情報Ｄ１が記憶部３０に記憶されるため、ユーザーによる事前の設定が不要であり、ユーザーによる事前の設定が必要である場合に比べて利便性が高い。
【００５１】
本実施形態では、制御部８１は、接続検出部８２で接続が検出される場合、ソース情報Ｄ１に基づいて、最後に使用された入力部を第１入力部５１、第２入力部５２および第３入力部５３から選択し、操作モードを実行する。例えば、前回と同じユーザーが操作モードを使用する場合、前回と同じ入力部を使用する可能性が高い。このため、ユーザーが前回と同じ入力部を用いて操作モードを使用する場合、適切な入力部を選択できる。
【００５２】
また、制御部８１は、描画モードから操作モードへ切り替える操作を受け付け可能な操作画像である操作モード切替ボタンＧＴ２を表示部２０に表示させる。そして、制御部８１は、接続検出部８２で接続が検出されない状態で、操作モード切替ボタンＧＴ２への操作が受け付けられる場合、ケーブル１０２を通信部５４に接続することを促す旨の画像である接続ガイド画像ＧＧを表示部２０に表示させる。接続ガイド画像ＧＧの表示により、ユーザーに対し、ケーブル１０２を介するＰＣ１００と通信部５４との接続が必要であることを報知することができる。この結果、必要に応じて、ユーザーにより当該接続が行われ、操作モードが実行されることとなる。
【００５３】
ここで、制御部８１は、操作モード切替ボタンＧＴ２の操作の受け付けにより描画モードから操作モードへ切り替える場合、ソース情報Ｄ１を更新する。この更新により、当該操作の受け付け時の表示に使用する入力部を選択することができる。このため、ユーザーの操作に沿う適切な入力部の選択が可能となる。
【００５４】
また、制御部８１は、接続検出部８２で接続が検出されない場合、描画モードを実行する。このため、ユーザーが通信部５４にケーブル１０２を接続しなければ、ユーザーが他の操作を行うことなく、描画モードを実行できる。
【００５５】
４．変形例
以上、本発明の表示装置および表示システムについて図示の実施形態に基づいて説明したが、本発明は、これらに限定されない。また、本発明の各部の構成は、前述の実施形態の同様の機能を発揮する任意の構成に置換することができ、また、任意の構成を付加することもできる。また、本発明は、前述の各実施形態の任意の構成同士を組み合わせるようにしてもよい。
【００５６】
前述の実施形態では、入力部の最後の使用結果に基づいて、操作モードに用いる入力部を選択する構成を例示するが、当該構成に限定されず、入力部の最後の使用結果以外の使用結果に基づいて、操作モードに用いる入力部を選択してもよい。例えば、入力部ごとの所定の期間内における使用回数を入力部の使用結果として記憶部３０に記憶させておき、最も使用回数の多い入力部を選択すればよい。このように、制御部８１は、接続検出部８２で接続が検出される場合、ソース情報Ｄ１に基づいて、最も使用頻度の高い入力部を選択し、操作モードを実行してもよい。例えば、同じ状況下のユーザーが操作モードを使用する場合、最も使用頻度の高い入力部を使用する可能性が高い。このため、ユーザーが最も使用頻度の高い入力部を用いて第２モードを使用する場合、適切な入力部を選択できる。また、最後の使用結果がユーザーの意図しない接続に起因する場合であっても、適切な入力部を選択できる。
【００５７】
また、前述の実施形態では、記憶部３０および制御部８１のそれぞれが表示装置１０に実装される構成を例示するが、当該構成に限定されず、記憶部３０または制御部８１の少なくとも一部は、表示装置１０の外部に設置される装置、例えばＰＣ１００等に実装されてもよい。
【符号の説明】
【００５８】
１…表示システム、１０…表示装置、２０…表示部、３０…記憶部、５１…第１入力部、５２…第２入力部、５３…第３入力部、５４…通信部、８１…制御部、８２…接続検出部、９０…指示体、１０２…ケーブル、Ｄ１…ソース情報、ＤＳ…画像情報、Ｇ…画像、ＧＧ…接続ガイド画像、ＧＴ１…描画モード切替ボタン、ＧＴ２…操作モード切替ボタン、ＰＳ…位置情報、ＳＣ…スクリーン。
【図１】
2020060616.tif 000003
【図２】
2020060616.tif 000004
【図３】
2020060616.tif 000005
【図４】
2020060616.tif 000006
【図５】
2020060616.tif 000007
【図６】
2020060616.tif 000008